(57)【特許請求の範囲】
【請求項１】
空気の出入により伸縮する空気袋と、この空気袋の側部に接着された伸縮性のないものであり、前記空気袋の側方への膨らみを規制する規制手段と、前記空気袋及び前記規制手段を生体部位に装着する装着手段とを備えることを特徴とする生体圧迫装置。
【請求項２】
前記規制手段は、前記空気袋の側部外周を囲むように形成されたことを特徴とする請求項１記載の生体圧迫装置。
【請求項３】
前記空気袋の外周に沿って設けられた可撓性のカーラを備えることを特徴とする請求項１又は請求項２記載の生体圧迫装置。
【請求項４】
前記規制手段は、前記空気袋の側部に複数本並設されていることを特徴とする請求項２記載の生体圧迫装置。
【発明の詳細な説明】
【０００１】
【発明の属する技術分野】
本発明は、腕や指から血圧や脈波等を測定する際に生体を圧迫するのに使用する生体圧迫装置に関する。
【０００２】
【従来の技術】
例えば腕から血圧を測定する際に腕に巻付ける生体圧迫装置（カフ圧迫帯）は、図３（斜視図）及び図４（図３の線Ａ−Ａ断面図）に示すような構造である。ここに示す生体圧迫装置は、帯状布７０内に、塩化ビニル等の伸縮性のない材料からなる空気袋７１と、空気袋７１が外側に膨らまないように適度の可撓性を有するカーラ７２が設けられたものである。空気袋７１は帯状布７０の内側布７０ａ側に、カーラ７２は外側布７０ｂ側に位置し、内側布７０ａと外側布７０ｂに設けられた面ファスナ７０ｃにより、この圧迫装置を腕に巻付けた状態で固定することができる。そして、空気袋７１に空気が供給されることで、空気袋７１が膨張し、それにより生体部位が圧迫される。
【０００３】
【発明が解決しようとする課題】
しかしながら、図３及び図４に示すような従来の生体圧迫装置では、伸縮性のない空気袋７１に空気を注入して膨らますと、図５に示すような膨らみ方になるため、空気注入後の空気袋７１′の横断方向における幅が空気注入前のその幅より長さｄだけ狭くなる。空気注入に伴って空気袋７１の幅が狭くなると、生体の脂肪や筋肉組織の移動によって、空気袋７１の内圧が分散され、圧力が生体内の動脈に１００％伝わらないという問題がある。
【０００４】
又、この問題を防ぐために空気袋７１を伸縮性のあるものにすると、空気袋７１が横断方向に膨らんでしまい、内方（生体側）の方向に圧力が有効に伝わらないという問題がある。これは、図２の左側の図に示すように、伸縮性に富む空気袋７１を風船２０に例えると、風船２０は空気を注入すれば、横方向に大きく膨らみ、符号２０′のような形状になることから明らかである。
【０００５】
本発明は、そのような従来の問題点に着目してなされたもので、空気を注入しても幅が狭くならずに生体部位を確実に圧迫することのできる生体圧迫装置を提供することを目的とする。
【０００６】
【課題を解決するための手段】
前記目的を達成するために、本発明の請求項１記載の生体圧迫装置は、空気の出入により伸縮する空気袋と、この空気袋の側部に接着された伸縮性のないものであり、空気袋の側方への膨らみを規制する規制手段と、空気袋及び規制手段を生体部位に装着する装着手段とを備えることを特徴とする。
【０００７】
この圧迫装置では、伸縮性のある空気袋を用いると共に、規制手段により空気袋の側方への膨らみを規制するので、空気注入による空気袋の内方（生体側）への膨らみが増し、生体部位に圧力が効率良く伝わる。しかも、伸縮性の空気袋を使用しているので、空気注入に伴って空気袋の横断方向における幅が狭くなるようなこともない。
【０００８】
【発明の実施の形態】
以下、本発明を実施の形態に基づいて説明する。
その一実施形態に係る生体圧迫装置の概略横断面図を図１に示す。この生体圧迫装置は、装着手段としての帯状布１０内に、空気の出入により伸縮する空気袋１１と、この空気袋１１の外方（図１の上側）や側方への膨らみを規制する規制手段１３と、空気袋１１の外周に沿って設けられた可撓性のカーラ１２とが設けられている。帯状布１０は内布１０ａと外布１０ｂからなり、内布１０ａと外布１０ｂに面ファスナ（図示せず）が設けられ、面ファスナにより、圧迫装置を生体部位に巻付けた状態で固定することができる。最も、この圧迫装置の外観形状は、図３に示すような従来のものと変わらない。
【０００９】
規制手段１３は、空気袋１１の外側表面に接着された伸縮性のないものであり、例えばＯリングを使用すればよい。このような規制手段１３を空気袋１１の外側表面に設けるパターン（形状）は特定されない。例えば、Ｏリングを使用するのであれば、円形状のパターンになるが、四角形や三角形等の他、直線状のものを数本並設してもよいし、網目状のパターンであってもよく、要するに空気袋１１の外方や側方への膨らみを有効に抑止できるのであれば、規制手段１３の形状や個数に限定はない。
【００１０】
このような生体圧迫装置を帯状布１０により生体部位に巻付けて、空気袋１１に空気を注入すると、空気袋１１は、外方や側方への膨らみが規制手段１３により抑制されるので、その分、内方に大きく膨らむことになる。従って、従来のカフに比べて空気注入による空気袋の内方への膨らみが増し、生体部位に圧力が効率良く伝わり、生体内の動脈を効果的に圧迫することができる。しかも、伸縮性の空気袋１１を使用しているので、空気注入に伴って空気袋１１の横断方向における幅が狭くなるようなことがなく、圧力が生体に有効に伝わる。
【００１１】
ここで、伸縮性のある空気袋１１と規制手段１３を組合せる原理について、図２の右側の図を参照して説明する。前記したように、伸縮性のある空気袋を風船２０に例えると、この風船２０に空気を注入すると、左側の図のように中心から各方向に略均等に膨らむ（符号２０′参照）。しかしながら、伸縮せずに可逆性を持つ規制手段として例えばＯリング２１を風船２０の側面に接着し、同容量の空気を注入すると、右側の図のように側方への膨らみが抑えられ、下方への膨らみ度合が長さａだけ増すことになる（符号２０″参照）。
【００１２】
本発明の生体圧迫装置は、この原理を利用したもので、上記実施形態の圧迫装置では、伸縮性のある空気袋１１の外側表面に伸縮性のない規制手段１３が接着されることで、空気袋１１の内方への膨らみ度合が増す。しかも、上記圧迫装置では、規制手段１３の外側に更にカーラ１２が設けられているので、規制手段１３の作用と相まって、空気袋１１の外側への膨らみがより一層効率良く抑制される。
【００１３】
【発明の効果】
以上説明したように、本発明の生体圧迫装置は、伸縮性のある空気袋と、この空気袋の側部に接着された伸縮性のないものであって空気袋の側方への膨らみを規制する規制手段とを備えるので、下記の効果（１）〜（３）を有する。
（１）空気注入による空気袋の内方への膨らみが増し、生体部位に圧力が効率良く伝わり、生体内の動脈をより有効に圧迫することができる。
（２）伸縮性の空気袋を使用しているので、空気注入に伴って空気袋の横断方向における幅が狭くなるようなことがなく、空気注入前の幅のまま生体部位を圧迫することができる。
（３）上記効果（１），（２）を有する圧迫装置を、単純な構成で、しかも安価且つ容易に実現することができる。
（４）空気袋の外周に沿って可撓性のカーラを設けることにより、空気袋の外方への膨らみをより一層効率良く抑止できる。
【図面の簡単な説明】
【図１】一実施形態に係る生体圧迫装置の概略横断面図である。
【図２】本発明の生体圧迫装置の原理を説明するための図である。
【図３】従来例に係る生体圧迫装置の斜視図である。
【図４】図３の線Ａ−Ａにおける断面図である。
【図５】従来例に係る生体圧迫装置における空気袋の膨らみ方を説明する図である。
【符号の説明】
１０    帯状布（装着手段）
１１    空気袋
１２    カーラ
１３    規制手段
【図１】
0003620280.tif 000002
【図２】
0003620280.tif 000003
【図３】
0003620280.tif 000004
【図４】
0003620280.tif 000005
【図５】
0003620280.tif 000006